(57)【要約】【課題】商品を簡単かつ確実に認証することができる商品認証用表示体、商品認証用装置、および商品認証用システム並びに商品認証方法を提供する。【解決手段】商品認証用表示体１は、商品Ｇまたは商品Ｇの付属物の表面に、複数の画素２１を各画素２１の並びに方向性を持たせて２次元的に配列して形成された画素パターン２０と、商品Ｇまたは商品Ｇの付属物とは別体に設けられたシート状又は板状の透明素材１０と、透明素材１０の表面に、複数の集光素３１を各集光素３１の並びに方向性を持たせて、画素２１と異なる配列ピッチで２次元的に配列して形成された集光素パターン３０とを備え、集光素パターン３０が画素パターン２１の上方に透明素材１０を介して互いに同じ方向性を持たせて配された場合、商品Ｇが真正品であるか否かを認証するための画素２１の拡大虚像Ｚが透明素材１０の上方または下方に現出することを特徴とする。【選択図】図１
2015129911.tif 000002
【特許請求の範囲】
【請求項１】
商品または商品の付属物の表面に、複数の画素を各画素の並びに方向性を持たせて２次元的に配列して形成された画素パターンと、
前記商品または商品の付属物とは別体に設けられたシート状又は板状の透明素材と、
該透明素材の表面に、複数の集光素を各集光素の並びに方向性を持たせて、前記画素と異なる配列ピッチで２次元的に配列して形成された集光素パターンとを備え、
前記集光素パターンが前記画素パターンの上方に前記透明素材を介して互いに同じ方向性を持たせて配された場合、前記商品が真正品であるか否かを認証するための前記画素の拡大虚像が前記透明素材の上方または下方に現出することを特徴とする商品認証用表示体。
【請求項２】
前記画素パターンは、隣り合う各画素の配列ピッチが次第に連続して変化することにより、各画素の拡大虚像が次第に連続して高さ又は深さを変化させながら透明素材の上方又は下方に現出し、全体として緩やかな曲面を有する立体的な拡大虚像群を構成する請求項１に記載の商品認証用表示体。
【請求項３】
前記集光素パターンは、隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成する請求項１に記載の商品認証用表示体。
【請求項４】
前記画素パターンは、ＵＶライトが照射されると発光する蛍光塗料により形成されている請求項１から請求項３のいずれかに記載の商品認証用表示体。
【請求項５】
前記画素パターンは、蛍光灯や太陽光などの紫外線を吸収して、暗所で発光する蓄光層が背景に設けられている請求項１から請求項４のいずれかに記載の商品認証用表示体。
【請求項６】
請求項１から請求項５のいずれかに記載の商品認証用表示体と、該商品認証用表示体による前記画素の拡大虚像を撮像する撮像手段と、前記撮像手段により撮像された前記画素の拡大虚像の画像に基づいて商品が真正品であるか否かを認証する認証手段と、該認証手段による認証結果を出力する出力手段とを備えた商品認証用装置。
【請求項７】
請求項６に記載の前記撮像手段と前記出力手段は携帯情報端末に設けられ、
請求項４に記載の前記認証手段はネットワーク上のサーバコンピュータに設けられ、
前記撮像手段により撮像された前記画素の拡大虚像の画像が前記携帯情報端末からネットワークを介してサーバコンピュータに送信されるとともに、前記認証手段による認証結果がサーバコンピュータからネットワークを介して前記携帯情報端末に送信されることを特徴とする商品認証用システム。
【請求項８】
請求項１から請求項５のいずれかに記載の商品認証用表示体を用いた商品認証方法であって、
前記透明素材の表面に形成された集光素パターンを、前記商品または商品の付属物の表面に形成された画素パターンの上方に透明素材を介して互いに同じ方向性を持たせて配して、前記商品が真正品であるか否かを認証するための前記画素の拡大虚像を前記透明素材の上方または下方に現出させることを特徴とする商品認証方法。
【発明の詳細な説明】
【技術分野】
【０００１】
本発明は、商品が真正品であるか否か認証するのに用いられる商品認証用表示体、商品認証用装置、および商品認証用システム並びに商品認証方法に関するものである。
【背景技術】
【０００２】
近年、食品の産地を偽装して販売したり、低品質の模倣品を真正品と偽って販売するケースが増加している。また、このような偽装や模倣は非常に巧妙になっており、これらの不正を排除するためにセキュリティ業界では様々な商品認証が提案されている。
【０００３】
例えば、商品認証の代表的な例として、商品にＩＣチップを取り付け、産地、出所、流通過程等の識別情報をＩＣチップに随時書き込んでおき、必要に応じてリーダ装置によりＩＣチップから識別情報を読み出すことで、流通する商品のトレーサビリティが行われている。
【０００４】
しかし、上記の商品認証では、商品に取り付けられるＩＣチップが高価であるため、商品の製造コストが増加するといった問題があった。また、商品に電子部品であるＩＣチップを取り付ける工程を要するため、製造工程が複雑化する懸念もあった。さらに、認証時において、商品が真正品であるか判別できれば足り、流通経路に関する詳細な情報まで要求されない場合には、ＩＣチップは過剰な装備となりコスト面のほか資源面でも無駄が生じていた。
【０００５】
一方、上記セキュリティ業界と異なる装飾業界において、遊技機やゲーム機の外装パネル、広告体、飾り品、あるいはディスプレイ装置などの商品に、人の興味を喚起させるため文字や図柄などの装飾を施す場合があった。このような装飾において、各種商品の表面から文字や図柄などの拡大虚像を上方または下方に現出させることによって装飾効果を向上させる装飾表示体の技術が従来より知られており、例えば特許文献１に開示されている。
【０００６】
この特許文献１に開示される装飾表示体は、シート状または板状の透明素材の裏面に着色された複数の画素を各画素の並びに方向性を持たせて２次元的に配列して形成された画素パターンを少なくとも一層備え、前記透明素材の表面には、複数の凸レンズ状の集光素を各集光素の並びに前記画素パターンと同じ方向性を持たせて２次元的に配列して形成された集光素パターンを備えており、各画素の配列ピッチと各集光素の配列ピッチとが各方向について異なるように、前記画素パターンと集光素パターンとが形成されて成る。
【先行技術文献】
【特許文献】
【０００７】
【特許文献１】特開２００３−２２０１７３号公報
【発明の概要】
【発明が解決しようとする課題】
【０００８】
しかしながら、このような装飾表示体は、従来、装飾業界において装飾効果を向上させる目的でのみ使用されており、装飾業界はもとより、装飾業界以外の業界においても他の目的に使用されることは無かった。しかも、このような装飾表示体は、画素パターンと集光素パターンが透明素材を介して重ね合わされることで初めて拡大虚像の装飾効果を奏するため、透明素材の表面および裏面にそれぞれ画素パターンおよび集光素パターンが一体的に形成されていることが前提となっていた。
【０００９】
本出願人は、上述の技術的背景に鑑みてなされたものであって、商品を簡単かつ確実に認証することができる商品認証用表示体、商品認証用装置、および商品認証用システム並びに商品認証方法を提供することを目的とする。
【課題を解決するための手段】
【００１０】
本発明は、上記目的を達成するために、商品または商品の付属物の表面に、複数の画素を各画素の並びに方向性を持たせて２次元的に配列して形成された画素パターンと、前記商品または商品の付属物とは別体に設けられたシート状又は板状の透明素材と、該透明素材の表面に、複数の集光素を各集光素の並びに方向性を持たせて、前記画素と異なる配列ピッチで２次元的に配列して形成された集光素パターンとを備え、前記集光素パターンが前記画素パターンの上方に前記透明素材を介して互いに同じ方向性を持たせて配された場合、前記商品が真正品であるか否かを認証するための前記画素の拡大虚像が前記透明素材の上方または下方に現出することを特徴とする商品認証用表示体であることを特徴とする。
【００１１】
これによれば、前記透明素材の上方または下方に現出する拡大虚像が、商品が真正品であるか否かを認証するための認証情報として機能し得るため、オペレータが認証情報としての画素の拡大虚像の有無あるいは鮮明度などを確認することにより、商品が真正品であるか否かを簡単かつ確実に認証することができる。また、商品または商品の付属物に対しては画素パターンを印刷等により形成するだけなので、商品の製造コストを低く抑えることができる。さらに画素パターンは所定の集光素パターンなしでは形状などを目視で確認することができない上に、画素や集光素の配列ピッチや径、透明素材の厚みなどを精度良く設定しないと画素の拡大虚像が現出しないことから、商品認証用表示体の模倣に対する技術的困難性を維持することができる。
【００１２】
また、前記画素パターンは、隣り合う各画素の配列ピッチが次第に連続して変化することにより、各画素の拡大虚像が次第に連続して高さ又は深さを変化させながら透明素材の上方又は下方に現出し、全体として緩やかな曲面を有する立体的な拡大虚像群を構成してもよい。これによれば、全体として緩やかな曲面を有する立体的な拡大虚像群が現出することにより、画素の拡大虚像がさらに高度な認証情報として機能し得るため、商品認証用表示体の模倣に対する技術的困難性を高めることができる。
【００１３】
また、前記集光素パターンは、隣り合う各集光素の配列ピッチが次第に連続して変化していくことにより、各画素の拡大虚像が次第に連続して高さまたは深さを変化させながら前記透明素材の上方または下方に現出し、全体として曲面を有する立体的な拡大虚像群を構成してもよい。これによれば全体として緩やかな曲面を有する立体的な拡大虚像群が現出することにより、画素の拡大虚像がさらに高度な認証情報として機能し得るため、商品認証用表示体の模倣に対する技術的困難性を高めることができる。しかも、画素の配列ピッチの変化を設定する必要がなくなり、複雑な画素の形状を設定し易くなるため、画素の拡大虚像のデザインのバリエーションを容易に増やすことができる。
【００１４】
また、前記画素パターンは、ＵＶライトが照射されると発光する蛍光塗料により形成されていてもよい。これによればＵＶライトを本商品認証用表示体に照射することにより画素パターンが発光するため、拡大虚像による認証情報に加えて、画素パターンの発光の有無や発光度が認証情報として機能することができる。
【００１５】
前記画素パターンは、蛍光灯や太陽光などの紫外線を吸収して、暗所で発光する蓄光層が背景に設けられていてもよい。これによれば本商品認証用表示体を暗所に配置することにより画素パターンの背景が発光するため、拡大虚像による認証機能に加えて、画素パターンの背景の発光の有無や発光度が認証情報として機能することができる。
【００１６】
また、本発明に係る商品認証用装置は、前記商品認証用表示体と、該商品認証用表示体による前記画素の拡大虚像を撮像する撮像手段と、前記撮像手段により撮像された前記画素の拡大虚像の画像に基づいて商品が真正品であるか否かを認証する認証手段と、該認証手段による認証結果を出力する出力手段とを備えることを特徴とする。
【００１７】
これによれば、画素の拡大虚像の認証作業を自動化することができるともに、認証ミスを低減させることができる。また、画素の形状や模様を複雑化することにより画素の拡大虚像が複雑化しても、コンピュータ内の認証手段により当該画素の拡大虚像を十分認証し得るため、商品にさらに高度な認証情報を付与することができる。
【００１８】
また、本発明に係る商品認証用システムは、前記撮像手段と前記出力手段は携帯情報端末に設けられ、前記認証手段は、ネットワーク上のサーバコンピュータに設けられ、前記撮像手段により撮像された前記画素の拡大虚像の画像が前記携帯情報端末からネットワークを介してサーバコンピュータに送信されるとともに、前記認証手段による認証結果がサーバコンピュータからネットワークを介して前記携帯情報端末に送信されることを特徴とする。
【００１９】
これによれば、オペレータ等が自己の携帯情報端末からネットワークを介してサーバコンピュータに接続することにより商品を簡単に認証することができるとともに、専用の装置を設ける必要がないためにコストを低く抑えることができる。また、サーバコンピュータ内の認証手段を更新することによりシステムの更新が可能なため、商品認証用システムのメンテナンスが容易となる。
【００２０】
また、本発明に係る商品認証方法は、前記商品認証用表示体を用いた商品認証方法であって、
前記透明素材の表面に形成された集光素パターンを、前記商品または商品の付属物の表面に形成された画素パターンの上方に透明素材を介して互いに同じ方向性を持たせて配して、前記商品が真正品であるか否かを認証するための前記画素の拡大虚像を前記透明素材の上方または下方に現出させることを特徴とする。
【００２１】
これによれば、前記透明素材の上方または下方に現出する拡大虚像が、商品が真正品であるか否かを認証するための認証情報として機能し得るため、オペレータが認証情報としての画素の拡大虚像の有無あるいは鮮明度などを確認することにより、商品が真正品であるか否かを簡単かつ確実に認証することができる。また、商品または商品の付属物に対しては画素パターンを印刷等により形成するだけなので、商品の製造コストを低く抑えることができる。さらに画素パターンは所定の集光素パターンなしでは形状などを目視で確認することができない上に、画素や集光素の配列ピッチや径、透明素材の厚みなどを精度良く設定しないと画素の拡大虚像が現出しないことから、商品認証用表示体の模倣に対する技術的困難性を維持することができる。
【発明の効果】
【００２２】
本発明によれば、前記透明素材の上方または下方に現出する拡大虚像が、商品が真正品であるか否かを認証するための認証情報として機能し得るため、オペレータが認証情報としての画素の拡大虚像の有無あるいは鮮明度などを確認することにより、商品が真正品であるか否かを簡単かつ確実に認証することができる。
また、商品または商品の付属物に対しては画素パターンを印刷等により形成するだけなので、商品の製造コストを低く抑えることができる。
さらに画素パターンは所定の集光素パターンなしでは形状などを目視で確認することができない上に、画素や集光素の配列ピッチや径、透明素材の厚みなどを精度良く設定しないと画素の拡大虚像が現出しないことから、商品認証用表示体の模倣に対する技術的困難性を維持することができる。
【図面の簡単な説明】
【００２３】
【図１】商品認証用表示体の斜視図である。
【図２】商品認証用表示体の縦断面図である。
【図３】商品認証用表示体の平面図である。
【図４】商品認証用表示体の使用状態を示す斜視図である。
【図５】真正品に商品認証用表示体を配した状態を示す平面図である。
【図６】非真正品に商品認証用表示体を配した状態を示す平面図である。
【図７】商品認証用装置の構成概略図である。
【図８】商品認証用装置の電気的構成を示すブロック図である。
【図９】商品認証用装置の動作を示すフローチャートである。
【図１０】商品認証用システムの電気的構成を示すブロック図である。
【図１１】商品認証用システムの動作を示すフローチャートである。
【発明を実施するための形態】
【００２４】
＜第１の実施形態＞
次に、本発明に係る商品認証用表示体の第１の実施形態について図１〜図６を参照しつつ説明する。  
【００２５】
この商品認証用表示体１は、図１に示すように、商品Ｇの表面に、複数の画素２１を各画素２１の並びに方向性を持たせて２次元的に配列して形成された画素パターン２０と、前記商品Ｇとは別体に設けられたシート状又は板状の透明素材１０と、該透明素材１０の表面に、複数の集光素３１を各集光素３１の並びに方向性を持たせて、前記画素２１と異なる配列ピッチで２次元的に配列して形成された集光素パターン３０とを備え、画素パターン２０および集光素パターン３０のいずれも印刷によって形成されている。
【００２６】
前記画素パターン２０は、図２および図３に示すように、商品Ｇの表面に、複数の画素２１を各画素２１の並びに方向性を持たせて２次元的に配列して設けられている。具体的には、画素パターン２０は、画素２１が水平方向に対して４５°の角度だけ傾斜した方向（以下「ｘ方向」という）に配列ピッチｐで直線的に配列するとともに、該ｘ方向と直交する方向（以下「ｙ方向」という）に配列ピッチｐで直線的に配列することによって、各画素２１がマトリクス状に２次元的に等配列している。なお、本実施形態の画素２１は、画素径が１．０ｍｍ、配列ピッチｐが１．１ｍｍに設定されている。
【００２７】
前記集光素パターン３０は、図２および図３に示すように、複数の凸レンズ状の集光素３１を画素パターン２０の各画素２１と同じ方向性を持たせて２次元的に配列して形成されている。具体的には、集光素パターン３０は、集光素３１が水平方向に対して４５°の角度だけ傾斜した方向（以下「ｘ方向」という）に配列ピッチｑで直線的に配列するとともに、該ｘ方向と直交する方向（以下「ｙ方向」という）に配列ピッチｑで直線的に配列することによって、各集光素３１がマトリクス状に２次元的に配列している。また、集光素パターン３０は、隣り合う各集光素３１の配列ピッチｑが各画素２１の配列ピッチｐよりも小さくなるように設定されている。なお、本実施形態の集光素３１は、集光素３１の径が０．９５ｍｍ、配列ピッチｑが１．０５ｍｍで設定されている。
【００２８】
また、画素パターン２０の周縁と集光素パターン３０の周縁には、それぞれ同一の大きさの矩形状の枠線２２、３２がそれぞれ設けられている。而して、画素パターン２０と集光素パターン３０を重ねる際に枠線２２と枠線３２を一致させると、集光素パターン３０と画素パターン２０の方向性が一致し、図２に示すように、各画素２１の拡大虚像Ｚを見る位置に制限を受けることなく、揺らぎの少ない静的な状態で透明素材１０に現出させることができる。
【００２９】
次に、商品認証用表示体１による商品Ｇの認証方法について説明する。
【００３０】
印刷工場等において、透明素材１０の表面に透明インキにより集光素３１を印刷することにより集光素パターン３０を形成する。この集光素パターン３０が設けられた該透明素材１０は、商品Ｇの卸売店または小売店などの店舗にあらかじめ配布される。
【００３１】
一方、商品Ｇの製造工場等において、商品Ｇの表面の隅部等の所定箇所に、インキにより画素２１を印刷することにより画素パターン２０を形成する。画素パターン２０が印刷された商品Ｇは製造工場等から店舗等に出荷される。
【００３２】
次に、商品Ｇが配送された店舗等において、オペレータは、図４に示すように、商品Ｇの表面と透明素材１０の裏面（集光素パターン３０が形成されていない面）を当接させる態様で、商品Ｇの画素パターン２０の上に透明素材１０を載置する。このとき、オペレータは、透明素材１０を平面方向に少しづつ移動させながら商品Ｇに対する透明素材１０の平面方向の位置を調節することにより、透明素材１０の枠線３２と商品Ｇの枠線２２が一致するように合わせる。
【００３３】
これにより、枠線２２に囲まれた画素パターン２０の上に枠線３２に囲まれた集光素パターン３０が透明素材１０を介して適正に載置された状態となって、画素パターン２０と集光素パターン３０の方向性が一致するため、各画素２１の拡大虚像Ｚが見る位置に制限を受けることなく、揺らぎの少ない静的な状態で透明素材１０の上方に現出することになる。
【００３４】
次に、オペレータは、画素パターン２０の上に透明素材１０を載置した状態を保ちつつ、透明素材１０の上方から透明素材１０の枠線３２内を視認して、商品Ｇの画素パターン２０の各画素２１の拡大虚像Ｚを観察する。
【００３５】
このとき、例えば図５に示すように、透明素材１０の上方に所定の拡大虚像Ｚが鮮明な状態で現出した場合、オペレータは、商品Ｇに適正な画素パターン２０が形成されているとして、商品Ｇが真正品であると認証することができる。一方、例えば図６に示すように、透明素材１０の上方に所定の拡大虚像Ｚが全く現出しなかった場合、オペレータは、商品Ｇに適正な画素パターン２０が形成されていないとして、商品Ｇが真正品でないと認証することができる。あるいは、透明素材１０の上方に輪郭のぼやけたような非鮮明な拡大虚像Ｚが現出した場合や、所定の拡大虚像Ｚと異なる拡大虚像が現出した場合にも、オペレータは、商品Ｇに適正な画素パターン２０が形成されていないとして、商品Ｇが真正品でないと認証することができる。
【００３６】
これによれば、透明素材１０の上方に現出する拡大虚像Ｚの有無あるいは鮮明度を確認するだけで認証作業が完了するため、簡単かつ確実に真正品であるか否かを認証することができる。また、印刷により画素パターン２０を設けることができるため、画素パターン２０により認証情報が付与された商品Ｇの製造コストを低減することができる。さらに、商品認証用表示体１の模倣にある程度の技術的困難性を有する一方、画素パターン２０および／または集光素パターン３０を複雑化することにより、商品認証用表示体１の模倣についての技術的困難性を高めることもできる。
【００３７】
なお、本実施形態では、画素パターン２０及び集光素パターン３０は印刷により形成するものとしたが、その他の方法により形成してもよい。
【００３８】
また、画素パターン２０の周縁と集光素パターン３０の周縁には、同一形状の枠線２２、３２がそれぞれ設けられているとしたが、いずれか一方あるいは両方が設けられていなくてもよい。
【００３９】
また、商品Ｇに画素パターン２０を形成するものとしたが、商品Ｇの包装箱、値札、ラベルなどの付属物に画素パターン２０を形成してよい。
【００４０】
また、画素２１の配列ピッチｐを集光素３１の配列ピッチｑよりも大きいものとしたが、小さいものとしてもよい。このように画素３１の配列ピッチｐを集光素３１の配列ピッチｑよりも小さいものとした場合、各画素２１の拡大虚像を見る位置に制限を受けることなく、揺らぎの少ない静的な状態で透明素材１０の下方に現出させることができる。
【００４１】
また、画素２１の配列ピッチｐを一定のものとしたが、画素２１の配列ピッチｐを変化させるものとしてもよい。これによれば各画素２１の拡大虚像が次第に連続して高さ又は深さを変化させながら透明素材の上方又は下方に現出し、全体として緩やかな曲面を有する立体的な拡大虚像群を構成することができる。このため、各画素２１の拡大虚像がさらに高度な認証情報として機能し得るため、商品認証用表示体１の模倣に対する技術的困難性を高めることができる。
【００４２】
また、集光素３１の配列ピッチｑを一定のものとしたが、集光素３１の配列ピッチｑを変化させるものとしてもよい。これによれば各画素２１の拡大虚像が次第に連続して高さ又は深さを変化させながら透明素材の上方又は下方に現出し、全体として緩やかな曲面を有する立体的な拡大虚像群を構成することができる。このため、各画素２１の拡大虚像がさらに高度な認証情報として機能し得るため、商品認証用表示体１の模倣に対する技術的困難性を高めることができる。しかも、画素２１の配列ピッチの変化を設定する必要がなくなり、複雑な画素の形状を設定し易くなるため、画素２１の拡大虚像のデザインのバリエーションを容易に増やすことができる。
＜第２の実施形態＞
【００４３】
次に、本発明に係る商品認証用表示体１を用いた商品認証装置の実施形態について図７および図８を参照しつつ説明する。
【００４４】
この商品認証用装置１００は、図７に示すように、前記商品認証用表示体１と、該商品認証用表示体１における前記画素２１の拡大虚像Ｚを撮像する撮像部４０と、撮像部４０に有線または無線により通信可能に接続されたコンピュータ５０とを備える。
【００４５】
前記撮像部４０は、オペレータが手に持って操作するものであり、透明素材１０の上方に現出する拡大虚像Ｚを透明素材１０の上方から撮像する。そして、撮像部４０は、撮像した拡大虚像Ｚの画像データをコンピュータ５０に送信する。なお、撮像部４０としては、例えば、カメラを内蔵した専用装置が用いられる。
【００４６】
前記コンピュータ５０は、撮像部４０により撮像された拡大虚像Ｚの画像データに基づいて商品Ｇが真正品であるか否かを認証するものであり、専用装置であってもよいし、あるいは所定のプログラムがインストールされたパーソナルコンピュータであってもよい。そして、このコンピュータ５０は、商品Ｇが真正品であるか否かを認証する認証部５１と、適正な拡大虚像の画像データを記憶する記憶部５２と、認証部５１による認証結果を画像や音声等により出力する出力部５３と、撮像部４０との間で拡大虚像Ｚの画像データなどの送受信を行う送受信部５４と、各部を統括的に制御する制御部５５とを備える。
【００４７】
前記認証部５１は、制御部５５の指令により送受信部５４から拡大虚像Ｚの画像データを受信するとともに、記憶部５２から記憶部５２に予め記憶されている適正な拡大虚像の画像データを受信する。そして、認証部５１は、受信部５４から受信した拡大虚像Ｚの画像データと、記憶部５２から受信した適正な拡大虚像の画像データを照合し、両者の拡大虚像の画像データが一致した場合は、認証部５１が商品Ｇを真正品と認証する。一方、両者の拡大虚像の画像データが一致しない場合は、認証部５１が商品Ｇを真正品でない（非真正品）と認証する。なお、両者の拡大虚像の画像データが一致したか否かについては、例えば両者の拡大虚像の画像データの形状、大きさ、鮮明度、あるいは色合いの一つあるいは複数の要素をもって判断する。
【００４８】
前記記憶部５２は、真正品についての適正な拡大虚像の画像データを予め記憶しており、制御部５５の指令により該拡大虚像の画像データを認証部５１に送信する。
【００４９】
前記制御部５５は、ＣＰＵと、周辺デバイスコントローラと、画像データを一時記憶するメインメモリと、各部の管理を行うオペレーティングシステム（ＯＳ）等が格納されたＲＯＭを備えている。該ＲＯＭに記憶されているＯＳを実行することによりコンピュータ５０全体の基本的な動作の制御を行う。また、制御部５５は、送受信部５４により撮像部４０から受信された拡大虚像Ｚの画像データを認証部５１に送信するとともに、記憶部５２に予め記憶されている適正な拡大虚像の画像データを認証部５１に送信する。また、制御部５５は、認証部５１による認証結果を出力部５３に送信する。
【００５０】
次に、商品認証用装置１００の動作について図９に示すフローチャートを用いて具体的に説明する。なお、以下の説明および図面では、「ステップ」を「Ｓ」と略記する。
【００５１】
まず、商品Ｇが配送された前記卸売店または小売店において、オペレータは、図４に示すように、商品Ｇの表面と透明素材１０の裏面（集光素パターン３０が形成されていない面）を当接させる態様で、商品Ｇの画素パターン２０の上に透明素材１０を載置する。このとき、オペレータは、透明素材１０を平面方向に少しづつ移動させながら商品Ｇに対する透明素材１０の平面方向の位置を調節することにより、透明素材１０の枠線３２と商品Ｇの枠線２２が一致するように合わせる。
【００５２】
これにより、枠線２２に囲まれた画素パターン２０の上に枠線３２に囲まれた集光素パターン３０が透明素材１０を介して適正に載置された状態となって、画素パターン２０と集光素パターン３０の方向性が一致するため、各画素２１の拡大虚像からなる拡大虚像Ｚが、見る位置に制限を受けることなく、揺らぎの少ない静的な状態で透明素材１０の上方に現出することになる。
【００５３】
そして、オペレータは、画素パターン２０の上に透明素材１０を載置した状態を保ちつつ、撮像部４０を透明素材１０の上方に配置して、各画素２１の拡大虚像Ｚの撮像を開始する。
【００５４】
次に、図９のフローチャートに示すように、商品認証用装置１００において、撮像部４０が、透明素材１０の上方から各画素２１の拡大虚像Ｚを撮像する（Ｓ１）。
【００５５】
そして、撮像部４０が、撮像した拡大虚像Ｚの画像データをコンピュータ５０に送信する。コンピュータ５０では、撮像部４０から送信されてきた拡大虚像Ｚの画像データを受信部５４にて受信する（Ｓ２）。
【００５６】
そして、認証部５１が、制御部５５の指令により送受信部５４から拡大虚像Ｚの画像データを受信するとともに、記憶部５２に予め記憶されていた適正な拡大虚像の画像データを制御部５５を介して受信し、それら両者の拡大虚像の画像データを照合する。このとき認証部５１は、両者の拡大虚像の画像データが一致した場合、認証部５１が商品Ｇを真正品と認証し、肯定的な認証結果を出力部５３に送信する。一方、認証部５１は、両者の拡大虚像の画像データが一致しなかった場合、認証部５１が商品Ｇを真正品でないと認証し、否定的な認証結果を出力部５３に送信する（Ｓ３）。
【００５７】
最後に、出力部５３が、認証部５１による認証結果を出力する（Ｓ４）。なお、出力部５３から出力される認証結果は、音声であってもよいし、画像や文字であってもよい。
【００５８】
よって、オペレータは、出力部５３から出力される認証結果により、商品Ｇが真正品であるか否かを認証することができる。
【００５９】
これによれば、画素２１の拡大虚像の認証作業を自動化することができるとともに、認証ミスを低減させることができる。また、画素２１の形状や模様を複雑化することにより画素２１の拡大虚像が複雑化しても、コンピュータ５０内の認証部５１により当該画素２１の拡大虚像を十分認証し得るため、商品にさらに高度な認証情報を付与することができる。
＜第３の実施形態＞                  
【００６０】
次に、本発明に係る商品認証用表示体１を用いた商品認証用システムについて図１０および図１１を参照しつつ説明する。
【００６１】
この商品認証用システム１０１は、前記商品認証用表示体１と、該商品認証用表示体１における前記画素２１の拡大虚像Ｚを撮像するとともに、商品Ｇが真正品であるか否かの認証結果を出力する携帯情報端末６０と、携帯情報端末６０に有線または無線により通信可能に接続されたサーバ７０を備える。
【００６２】
携帯情報端末６０は、オペレータが手に持って操作するものであり、該商品認証用表示体１における前記画素２１の拡大虚像Ｚを撮像する撮像部６１と、認証結果を画像や音声等により出力する出力部６３と、サーバ７０との間で拡大虚像Ｚの画像データなどの送受信を行う送受信部６４と、各部を統括的に制御する制御部６５を備える。携帯情報端末６０としては、オペレータ等が所有するカメラ付き携帯電話、スマートフォン、タブレットＰＣなどが用いられる。  
【００６３】
前記撮像部６１は、携帯情報端末６０に内蔵されたカメラであり、透明素材１０の上方に現出する拡大虚像Ｚを透明素材１０の上方から撮像する。そして、撮像部６１は、制御部６５の指令により拡大虚像Ｚの画像データを送受信部６４に送信する。
【００６４】
前記送受信部６４は、撮像部６１が撮像した拡大虚像の画像データをサーバ７０の送受信部７４に送信する。また、送受信部６４は、サーバ７０の認証部７１による認証結果をサーバ７０の送受信部７４から受信する。
【００６５】
前記制御部６５は、ＣＰＵと、周辺デバイスコントローラと、画像データを一時記憶するメインメモリと、各部の管理を行うオペレーティングシステム（ＯＳ）等が格納されたＲＯＭを備えている。該ＲＯＭに記憶されているＯＳを実行することにより携帯情報端末６０全体の基本的な動作の制御を行う。また、制御部６５は、撮像部６１により撮像された拡大虚像の画像データを送受信部６４に送信する。また、制御部６５は、送受信部６４により受信された認証結果を出力部６３に送信する。
【００６６】
サーバ７０は、撮像部６１により撮像された拡大虚像Ｚの画像データに基づいて商品Ｇが真正品であるか否かを認証するものであり、専用装置であってもよいし、あるいは所定のプログラムがインストールされたパーソナルコンピュータであってもよい。そして、サーバ７０は、商品Ｇが真正品であるか否かを認証する認証部７１と、適正な拡大虚像の画像データを記憶する記憶部７２と、携帯情報端末６０との間で拡大虚像Ｚの画像データや認証結果などの送受信を行う送受信部７４と、各部を統括的に制御する制御部７５を備える。
【００６７】
前記認証部７１は、制御部７５の指令により送受信部７４から拡大虚像Ｚの画像データを受信するとともに、記憶部７２から記憶部７２に予め記憶されている適正な拡大虚像の画像データを受信する。そして、認証部７１は、受信部７４から受信した拡大虚像Ｚの画像データと、記憶部７２から受信した適正な拡大虚像の画像データを照合し、両者の拡大虚像の画像データが一致した場合は、認証部７１が商品Ｇを真正品と認証する。一方、両者の拡大虚像の画像データが一致しない場合は、認証部７１が商品Ｇを真正品でないと認証する。なお、両者の拡大虚像の画像データが一致したか否かについては、例えば両者の拡大虚像の画像データの形状、大きさ、鮮明度、あるいは色合いの一つあるいは複数の要素をもって判断する。
【００６８】
前記記憶部７２は、真正品についての適正な拡大虚像の画像データを予め記憶しており、制御部７５の指令により該拡大虚像の画像データを認証部７１に送信する。
【００６９】
前記送受信部７４は、携帯情報端末６０の送受信部６４から送信されてきた拡大虚像の画像データを受信する。また、送受信部７４は、認証部７１による認証結果を携帯情報端末６０の送受信部６４に送信する。
【００７０】
前記制御部７５は、ＣＰＵと、周辺デバイスコントローラと、画像データを一時記憶するメインメモリと、各部の管理を行うオペレーティングシステム（ＯＳ）等が格納されたＲＯＭを備えている。該ＲＯＭに記憶されているＯＳを実行することによりサーバ７０全体の基本的な動作の制御を行う。また、制御部７５は、送受信部７４により受信された拡大虚像Ｚの画像データを認証部７１に送信するとともに、記憶部７２に予め記憶されている適正な拡大虚像の画像データを認証部７１に送信する。また、制御部７５は、認証部７１による認証結果を送受信部７４に送信する。
【００７１】
次に、商品認証用システム１０１の動作について図１１に示すフローチャートを用いて具体的に説明する。なお、以下の説明および図面では、「ステップ」を「Ｓ」と略記する。
【００７２】
まず、商品Ｇが配送された前記卸売店または小売店において、オペレータは、図４に示すように、商品Ｇの表面と透明素材１０の裏面（集光素パターン３０が形成されていない面）を当接させる態様で、商品Ｇの画素パターン２０の上に透明素材１０を載置する。このとき、オペレータは、透明素材１０を平面方向に少しづつ移動させながら商品Ｇに対する透明素材１０の平面方向の位置を調節することにより、透明素材１０の枠線３２と商品Ｇの枠線２２が一致するように合わせる。
【００７３】
これにより、枠線２２に囲まれた画素パターン２０の上に枠線３２に囲まれた集光素パターン３０が透明素材１０を介して適正に載置された状態となって、画素パターン２０と集光素パターン３０の方向性が一致するため、各画素２１の拡大虚像からなる拡大虚像Ｚが、見る位置に制限を受けることなく、揺らぎの少ない静的な状態で透明素材１０の上方に現出することになる。
【００７４】
そして、オペレータは、画素パターン２０の上に透明素材１０を載置した状態を保ちつつ、携帯情報端末６０の撮像部６１を透明素材１０の上方に配置して、各画素２１の拡大虚像Ｚの撮像を開始する。
【００７５】
次に、図１１のフローチャートに示すように、商品認証用システム１０１において、撮像部６１が、透明素材１０の上方から各画素２１の拡大虚像Ｚを撮像する（Ｓ１）。
【００７６】
そして、撮像部６１が、制御部６５の指令により拡大虚像Ｚの画像データを送受信部６４に送信する。送受信部６４では、撮像部４０から送信されてきた拡大虚像Ｚの画像データを受信し、サーバ７０の送受信部７４に送信する（Ｓ２）。
【００７７】
そして、サーバ７０では、携帯情報端末６０の送受信部６４から送信されてきた拡大虚像Ｚの画像データを送受信部７４にて受信する（Ｓ３）。
【００７８】
そして、認証部７１が、制御部７５の指令により送受信部７４から拡大虚像Ｚの画像データを受信するとともに、記憶部７２から記憶部７２に予め記憶されていた適正な拡大虚像の画像データを受信し、それら両者の拡大虚像の画像データを照合する。このとき認証部７１は、両者の拡大虚像の画像データが一致した場合、認証部７１が商品Ｇを真正品と認証し、肯定的な認証結果を送受信部７４に送信する。一方、認証部７１は、両者の拡大虚像の画像データが一致しなかった場合、認証部７１が商品Ｇを真正品でないと認証し、否定的な認証結果を送受信部７４に送信する（Ｓ４）。
【００７９】
そして、送受信部７４が、認証部７１による認証結果を携帯情報端末６０の送受信部６４に送信する（Ｓ５）。
【００８０】
そして、携帯情報端末６０では、送受信部６４が、サーバ７０の送受信部７４から送信されてきた認証部７１による認証結果を受信したあと、出力部６３に送信する（Ｓ６）。
【００８１】
最後に、出力部６３が、制御部６５の指令により認証部７１による認証結果を出力する（Ｓ７）。なお、出力部６３から出力される認証結果は、音声であってもよいし、画像や文字であってもよい。
【００８２】
よって、オペレータは、出力部６３から出力される認証結果により、商品Ｇが真正品であるか否かを認証することができる。
【００８３】
これによれば、画素２１の拡大虚像の認証作業を自動化することができるとともに、認証ミスを低減させることができる。また、画素２１の形状や模様を複雑化することにより画素２１の拡大虚像が複雑化しても、サーバ７０内の認証部７１により当該画素２１の拡大虚像を十分認証し得るため、商品にさらに高度な認証情報を付与することができる。
【００８４】
また、オペレータは自己の携帯情報端末からネットワークを介してサーバコンピュータに接続することにより商品を簡単に認証することができるとともに、専用の装置を設ける必要がないためにコストを低く抑えることができる。また、サーバコンピュータ内の認証手段を更新することによりシステムの更新が可能なため、商品認証用システムのメンテナンスが容易となる。
【００８５】
なお、前記画素パターン２０は、ＵＶライトが照射されると発光する蛍光塗料により形成されていてもよい。これによればＵＶライトを本商品認証用表示体１に照射することにより画素パターン２０が発光するため、拡大虚像による認証情報に加えて、画素パターン２０の発光の有無や発光度が認証情報として機能することができる。
【００８６】
前記画素パターン２０は、蛍光灯や太陽光などの紫外線を吸収して、暗所で発光する蓄光層が背景に設けられていてもよい。これによれば本商品認証用表示体１を暗所に配置することにより画素パターン２０の背景が発光するため、拡大虚像による認証機能に加えて、画素パターン２０の背景の発光の有無や発光度が認証情報として機能することができる。
【００８７】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００８８】
１…商品認証用表示体
１０…透明素材
２０…画素パターン
２１…画素
３０…集光素パターン
３１…集光素
４０…撮像部
５０…コンピュータ
５１…認証部
５３…出力部
６０…携帯情報端末
６１…撮像部
６３…出力部
７０…サーバ
７１…認証部
１００…商品認証用装置
１０１…商品認証用システム
Ｇ…商品
Ｚ…拡大虚像
【図１】
2015129911.tif 000003
【図２】
2015129911.tif 000004
【図３】
2015129911.tif 000005
【図４】
2015129911.tif 000006
【図５】
2015129911.tif 000007
【図６】
2015129911.tif 000008
【図７】
2015129911.tif 000009
【図８】
2015129911.tif 000010
【図９】
2015129911.tif 000011
【図１０】
2015129911.tif 000012
【図１１】
2015129911.tif 000013